(57)【特許請求の範囲】
【請求項１】
金属ハウジング（３００）と、
前記金属ハウジング（３００）内に受け入れられる絶縁体（１００）と、
前記絶縁体（１００）内に保持され、前記金属ハウジング（３００）に導入されたワイヤ（１）に電気接続するように構成されている導電性端子（２００）と、
前記金属ハウジング（３００）内に取り付けられ、前記ワイヤ（１）の導電性遮蔽層（１ｄ）上に嵌められる導電性シールド（７００）とを備え、
前記導電性シールド（７００）は、
前記金属ハウジング（３００）の内壁に電気的かつ弾性的に接触するように構成されているＣ字形リング（７１０）と、
前記Ｃ字形リング（７１０）の一側に接続され、前記導電性遮蔽層（１ｄ）に電気的かつ弾性的に接触するように構成されている複数の弾性アーム（７２０）とを備え、
前記導電性端子（２００）の端部に螺着され、前記コネクタに挿入された前記ワイヤ（１）の導体（１ａ）を前記導電性端子（２００）の前記端部に押圧し固定して、前記ワイヤ（１）を前記導電性端子（２００）に電気接続するように構成されているねじ（２１０）をさらに備え、
前記絶縁体（１００）上に嵌められて、前記ねじ（２１０）を前記金属ハウジング（３００）から電気的に隔離することにより、前記ねじ（２１０）を介した前記導電性端子（２００）と前記金属ハウジング（３００）との電気接続を防ぐ絶縁隔離スリーブ（４００）をさらに備えるコネクタ。
【請求項２】
前記複数の弾性アーム（７２０）は、前記ワイヤ（１）の周りで互いに離間するように配設されることにより、前記ワイヤ（１）の前記導電性遮蔽層（１ｄ）上に嵌められる、請求項１に記載のコネクタ。
【請求項３】
前記複数の弾性アーム（７２０）のそれぞれは、内方に突出する弾性接触部（７２１）を備え、
前記複数の弾性アーム（７２０）が前記ワイヤ（１）の前記導電性遮蔽層（１ｄ）上に嵌められたときに、前記弾性接触部（７２１）は、前記導電性遮蔽層（１ｄ）を前記ワイヤ（１）の半径方向に圧縮して、前記導電性遮蔽層（１ｄ）に電気的かつ弾性的に接触するように配置されている、請求項１に記載のコネクタ。
【請求項４】
各前記弾性アーム（７２０）は、前記弾性接触部（７２１）から外方に曲がる弾性端部を備え、
前記複数の弾性アーム（７２０）の前記弾性端部は、前記導電性遮蔽層（１ｄ）を前記金属ハウジング（３００）の内側環状突起（３１１）に対して前記ワイヤ（１）の軸方向に押し付けるように構成されることにより、前記導電性遮蔽層（１ｄ）は前記金属ハウジング（３００）に電気接触する、請求項３に記載のコネクタ。
【請求項５】
前記ワイヤ（１）上に嵌まるように構成され、円筒体および前記円筒体の外端部に接続された複数の弾性爪（８１０）を備える後部スリーブ（８００）と、
前記ワイヤ（１）の外側クラッディング層（１ｅ）上に嵌まるように構成されている弾性封止スリーブ（９００）と、
前記金属ハウジング（３００）上に螺着されるねじ式スリーブ（６００）とをさらに備え、
前記複数の弾性爪（８１０）は、前記弾性封止スリーブ（９００）の外周の周囲に配設され、前記ねじ式スリーブ（６００）により押圧されている状態で前記弾性封止スリーブ（９００）を前記ワイヤ（１）の前記外側クラッディング層（１ｅ）に押し付けるように構成されている、請求項１に記載のコネクタ。
【請求項６】
前記ねじ式スリーブ（６００）は、外方に徐々にテーパ状であり、前記複数の弾性爪（８１０）を前記弾性封止スリーブ（９００）に押し付けるように構成されているテーパ内壁（６１０）を備えることにより、前記弾性封止スリーブ（９００）は前記ワイヤ（１）の前記外側クラッディング層（１ｅ）に押し付けられる、請求項５に記載のコネクタ。
【請求項７】
前記金属ハウジング（３００）は、第１の端部（３１０）と第２の端部（３２０）とを備え、前記後部スリーブ（８００）は前記金属ハウジング（３００）の前記第２の端部（３２０）内に部分的に受け入れられ、前記ねじ式スリーブ（６００）は前記金属ハウジング（３００）の前記第２の端部（３２０）上に螺着されている、請求項５に記載のコネクタ。
【請求項８】
前記後部スリーブ（８００）を前記金属ハウジング（３００）に組み付けたときに、前記複数の弾性爪（８１０）は前記金属ハウジング（３００）の外側に位置する、請求項７に記載のコネクタ。
【請求項９】
前記後部スリーブ（８００）の前記円筒体の内端部の外壁に、封止リング（１２）を収容する環状溝が形成され、前記封止リング（１２）は前記後部スリーブ（８００）と前記金属ハウジングと（３００）の間で圧縮される、請求項８に記載のコネクタ。
【請求項１０】
前記絶縁体（１００）は前記第１の端部（３１０）内に受け入れられ、前記ワイヤ（１）は前記金属ハウジング（３００）の前記第２の端部（３２０）から前記コネクタに導入される、請求項７に記載のコネクタ。
【請求項１１】
前記金属ハウジング（３００）の前記第１の端部（３１０）上に螺着され、前記絶縁体（１００）を前記金属ハウジング（３００）内に固定するように構成されている第１のナット（５１０）をさらに備える、請求項１０に記載のコネクタ。
【請求項１２】
前記絶縁体（１００）の一端部が前記金属ハウジング（３００）の前記第１の端部（３１０）から突出し、
前記コネクタは、前記金属ハウジング（３００）の前記第１の端部（３１０）から突出する前記絶縁体（１００）の前記端部上に嵌まる第２のナット（５２０）をさらに備え、
前記第２のナット（５２０）は相手側コネクタに螺着するように構成されている、請求項１１に記載のコネクタ。
【請求項１３】
弾性導電性部材（５３０）が前記第１のナット（５１０）と前記第２のナット（５２０）との間に設けられ、前記第１のナット（５１０）と前記第２のナット（５２０）との間で圧縮されることにより、前記第１のナット（５１０）および前記第２のナット（５２０）が電気接続される、請求項１２に記載のコネクタ。
【請求項１４】
前記コネクタは、円形断面を有する円形コネクタとして形成されている、請求項１に記載のコネクタ。
【発明の詳細な説明】
【技術分野】
【０００１】
関連出願の相互参照
本出願は、開示全体が参照により本明細書に組み込まれている、２０１７年３月２２日に中国国家知識産権局に出願された中国特許出願第ＣＮ２０１７２０２８７２６４．９号の優先権を主張する。
【０００２】
本開示の実施形態は、一般に、コネクタに関する。
【背景技術】
【０００３】
現在、機器、制御装置、および電気設備用の円形コネクタは、一般に、絶縁体、絶縁体内に保持される導電性端子、絶縁体上に嵌められる金属ハウジング、および金属ハウジングの端部内に取り付けられる導電性シールドを備える。ワイヤは、金属ハウジングの端部からコネクタに導入することができ、コネクタの導電性端子に電気接続される。導電性シールドは、ワイヤの導電性遮蔽層上に嵌められ、ワイヤを電磁的に遮蔽して、信号伝送の質を確実なものにする。
【０００４】
現在、導電性シールドは、通常、剛性の円筒形部品として形成され、導電性シールドの前端部がワイヤの導電性遮蔽層を金属ハウジングの内側環状突起に押し付けて、導電性シールド、導電性遮蔽層、および金属ハウジング間の電気接続を実現する。
【発明の概要】
【発明が解決しようとする課題】
【０００５】
しかしながら、そのような一点剛性接触では、電気接続が不安定になるため、電磁遮蔽効果が低下する。加えて、現在の導電性シールドは体積が大きく、大きい空間を占め、また組立ておよび分解が難しい。
本開示は、上記の欠点のうちの少なくとも１つの局面を克服または軽減するためになされたものである。
【課題を解決するための手段】
【０００６】
本開示の一態様によれば、金属ハウジングと、金属ハウジング内に受け入れられる絶縁体と、絶縁体内に保持され、金属ハウジングに導入されたワイヤに電気接続するように構成されている導電性端子と、金属ハウジング内に取り付けられ、ワイヤの導電性遮蔽層上に嵌められる導電性シールドとを備えるコネクタが提供される。導電性シールドは、金属ハウジングの内壁に電気的かつ弾性的に接触するように構成されているＣ字形リングと、Ｃ字形リングの一側に接続され、導電性遮蔽層に電気的かつ弾性的に接触するように構成されている複数の弾性アームとを備える。
【０００７】
本開示の例示的な実施形態によれば、複数の弾性アームは、ワイヤの周りで互いに離間するように配設されることにより、ワイヤの導電性遮蔽層上に嵌められる。
【０００８】
本開示の別の例示的な実施形態によれば、複数の弾性アームのそれぞれは、内方に突出する弾性接触部を備える。複数の弾性アームがワイヤの導電性遮蔽層上に嵌められたときに、弾性接触部は、導電性遮蔽層をワイヤの半径方向に圧縮して、導電性遮蔽層に電気的かつ弾性的に接触するように配置されている。
【０００９】
本開示の別の例示的な実施形態によれば、各弾性アームは、弾性接触部から外方に曲がる弾性端部を備える。複数の弾性アームの弾性端部は、導電性遮蔽層を金属ハウジングの内側環状突起に対してワイヤの軸方向に押し付けるように構成されることにより、導電性遮蔽層は金属ハウジングに電気的に接触する。
【００１０】
本開示の別の例示的な実施形態によれば、コネクタは、ワイヤ上に嵌まるように構成され、円筒体および円筒体の外端部に接続された複数の弾性爪を備える後部スリーブと、ワイヤの外側クラッディング層（Ｏｕｔｅｒ  ｃｌａｄｄｉｎｇ  ｌａｙｅｒ）上に嵌まるように構成されている弾性封止スリーブと、金属ハウジング上に螺着されるねじ式スリーブとをさらに備える。複数の弾性爪は、弾性封止スリーブの外周の周囲に配設され、ねじ式スリーブにより押圧されている状態で弾性封止スリーブをワイヤの外側クラッディング層に押し付けるように構成されている。
【００１１】
本開示の別の例示的な実施形態によれば、ねじ式スリーブは、外方に徐々にテーパ状であり、複数の弾性爪を弾性封止スリーブに押し付けるように構成されているテーパ内壁を備えることにより、弾性封止スリーブはワイヤの外側クラッディング層に押し付けられる。
【００１２】
本開示の別の例示的な実施形態によれば、金属ハウジングは、第１の端部と第２の端部とを備え、後部スリーブは金属ハウジングの第２の端部内に取り付けられ、ねじ式スリーブは金属ハウジングの第２の端部上に螺着されている。
【００１３】
本開示の別の例示的な実施形態によれば、後部スリーブを金属ハウジングに組み付けたときに、複数の弾性爪は金属ハウジングの外側に位置する。
【００１４】
本開示の別の例示的な実施形態によれば、後部スリーブの円筒体の内端部の外壁に、封止リングを収容する環状溝が形成され、封止リングは後部スリーブと金属ハウジングとの間で圧縮される。
【００１５】
本開示の別の例示的な実施形態によれば、絶縁体は第１の端部内に受け入れられ、ワイヤは金属ハウジングの第２の端部からコネクタに導入される。
【００１６】
本開示の別の例示的な実施形態によれば、コネクタは、金属ハウジングの第１の端部上に螺着され、絶縁体を金属ハウジング内に固定するように構成されている第１のナットをさらに備える。
【００１７】
本開示の別の例示的な実施形態によれば、絶縁体の一端部が金属ハウジングの第１の端部から突出する。コネクタは、金属ハウジングの第１の端部から突出する絶縁体の端部上に嵌まる第２のナットをさらに備え、第２のナットは相手側コネクタに螺着するように構成されている。
【００１８】
本開示の別の例示的な実施形態によれば、弾性導電性部材が第１のナットと第２のナットとの間に設けられ、第１のナットと第２のナットとの間で圧縮されることにより、第１のナットおよび第２のナットが電気接続される。
【００１９】
本開示の別の例示的な実施形態によれば、コネクタは、円形断面を有する円形コネクタとして形成される。
【００２０】
本開示の別の例示的な実施形態によれば、コネクタは、導電性端子の端部に螺着され、コネクタに挿入されたワイヤの導体を導電性端子の端部に押圧し固定して、ワイヤを導電性端子に電気接続するように構成されているねじをさらに備える。
【００２１】
本開示の別の例示的な実施形態によれば、コネクタは、絶縁体上に嵌められて、ねじを金属ハウジングから電気的に隔離することにより、ねじを介した導電性端子と金属ハウジングとの電気接続を防ぐ絶縁隔離スリーブをさらに備える。
【００２２】
本開示の上記の様々な実施形態において、導電性シールドは、金属ハウジングおよび導電性遮蔽層に２つの異なる位置のそれぞれにおいて電気的かつ弾性的に接触するため、導電性シールド、導電性遮蔽層、および金属ハウジング間の電気接続の安定性が向上する。
【００２３】
添付図面を参照しながら本開示の上記その他の特徴について説明する。
【図面の簡単な説明】
【００２４】
【図１】本開示の例示的な実施形態によるコネクタの分解斜視図である。
【図２】図１に示すコネクタの長手方向断面図である。
【図３】図２に示すコネクタの導電性シールドの概略斜視図である。
【図４】ワイヤの導電性遮蔽層上に嵌められた、図３に示す導電性シールドの概略図である。
【図５】組み立てられたコネクタの長手方向断面図である。
【発明を実施するための形態】
【００２５】
本開示の技術的解決策について、添付図面と併せた以下の実施形態を参照してさらに詳細に説明する。明細書において、同一または同様の参照番号は同一または同様の構成要素を指す。添付図面を参照した本開示の実施形態についての以下の説明は、本開示の一般的な発明概念を説明するものであり、本開示を限定するものと解釈すべきではない。
【００２６】
以下の詳細な説明において、説明の目的で、開示する実施形態の完全な理解をもたらすために、多数の具体的な詳細について述べる。しかしながら、これらの具体的な詳細がなくても１つまたは複数の実施形態を実施することができることが明らかであろう。他の事例において、図面を簡略化するために、周知の構造およびデバイスは概略的に示す。
【００２７】
本開示の一般的な技術概念によれば、金属ハウジングと、金属ハウジング内に受け入れられる絶縁体と、絶縁体内に保持され、金属ハウジングに導入されたワイヤに電気接続するように構成されている導電性端子と、金属ハウジング内に取り付けられ、ワイヤの導電性遮蔽層上に嵌められる導電性シールドとを備えるコネクタが提供される。導電性シールドは、金属ハウジングの内壁に電気的かつ弾性的に接触するように構成されているＣ字形リングと、Ｃ字形リングの一側に接続され、導電性遮蔽層に電気的かつ弾性的に接触するように構成されている複数の弾性アームとを備える。
【００２８】
図１は、本開示の例示的な実施形態によるコネクタの分解斜視図である。図２は、図１に示すコネクタの長手方向断面図である。
【００２９】
図１および図２に示すように、図示した実施形態において、コネクタは、金属ハウジング３００、絶縁体１００、導電性端子２００、および導電性シールド７００を主に備える。絶縁体１００は金属ハウジング３００内に受け入れられる。導電性端子２００は、絶縁体１００に保持され、金属ハウジング３００に挿入されたワイヤ１に電気接続するように構成されている。導電性シールド７００は、例えば、スリーブとして形成され、金属ハウジング３００内に取り付けられる。
【００３０】
図３は、図２に示すコネクタの導電性シールドの概略斜視図である。
【００３１】
図３に示すように、図示した実施形態において、導電性シールド７００は、Ｃ字形リング７１０と、Ｃ字形リング７１０の一側に接続されている複数の弾性アーム７２０とを主に備える。
【００３２】
図４は、ワイヤ１の導電性遮蔽層１ｄ上に嵌められた、図３に示す導電性シールド７００の概略図である。図５は、組み立てたコネクタの長手方向断面図である。
【００３３】
図４に示すように、図示した実施形態において、ワイヤ１は、各々が導体１ａを備える複数の導体コア１ｂを有する多芯ワイヤとして形成される。複数の導体コア１ｂには内側絶縁層１ｃが巻き付けられる。導電性遮蔽層１ｄは内側絶縁層１ｃに巻き付き、外側クラッディング層１ｅは導電性遮蔽層１ｄに巻き付く。本開示は図示したワイヤ１に限定されず、他のタイプのワイヤにも適用可能であることに留意されたい。
【００３４】
図５に示すように、図示した実施形態において、Ｃ字形リング７１０は、金属ハウジング３００の内壁に電気的かつ弾性的に接触するように構成される。図４および図５に示すように、複数の弾性アーム７２０は、導電性遮蔽層１ｄに電気的かつ弾性的に接触するように構成される。
【００３５】
図４に示すように、図示した実施形態において、複数の弾性アーム７２０は、ワイヤ１の周りで互いに離間するように配設されることにより、ワイヤ１の導電性遮蔽層１ｄ上に嵌められる。
【００３６】
図３、図４、および図５に示すように、図示した実施形態において、各弾性アーム７２０は内方に突出する弾性接触部７２１を備える。複数の弾性アーム７２０がワイヤ１の導電性遮蔽層１ｄ上に嵌められたときに、弾性接触部７２１は、導電性遮蔽層１ｄをワイヤ１の半径方向に圧縮して、導電性遮蔽層１ｄに電気的かつ弾性的に接触する。
【００３７】
図３、図４、および図５に示すように、図示した実施形態において、各弾性アーム７２０は、弾性接触部７２１から外方に曲がる弾性端部７２２を備える。複数の弾性アーム７２０の弾性端部７２２は、導電性遮蔽層１ｄを金属ハウジング３００の内側環状突起３１１に対してワイヤ１の軸方向に押し付けるように構成されることにより、導電性遮蔽層１ｄは金属ハウジング３００に電気接触する。
【００３８】
図１、図２、および図５に示すように、図示した実施形態において、コネクタは、ワイヤ１上に嵌まるように構成され、円筒体および円筒体の外端部に接続された複数の弾性爪８１０を備える後部スリーブ８００と、ワイヤ１の外側クラッディング層１ｅ上に嵌まるように構成されている弾性封止スリーブ９００と、金属ハウジング３００上に螺着されるねじ式スリーブ６００とをさらに備える。複数の弾性爪８１０は、弾性封止スリーブ９００の外周に沿って配設され、ねじ式スリーブ６００により押圧されている状態で弾性封止スリーブ９００をワイヤ１の外側クラッディング層１ｅに押し付けるように構成されている。
【００３９】
図１、図２、および図５に示すように、図示した実施形態において、ねじ式スリーブ６００は、外方に徐々にテーパ状であり、複数の弾性爪８１０を弾性封止スリーブ９００に押し付けるように構成されているテーパ内壁６１０を備えることにより、弾性封止スリーブ９００はワイヤ１の外側クラッディング層１ｅに押し付けられる。
【００４０】
図１、図２、および図５に示すように、図示した実施形態において、金属ハウジング３００は、第１の端部３１０と第２の端部３２０とを備え、後部スリーブ８００は金属ハウジング３００の第２の端部３２０内に部分的に受け入れられ、ねじ式スリーブ６００は金属ハウジング３００の第２の端部３２０上に螺着される。
【００４１】
図１、図２、および図５に示すように、図示した実施形態において、後部スリーブ８００を金属ハウジング３００に組み付けたときに、複数の弾性爪８１０は金属ハウジング３００の外側に位置する。このようにして、後部スリーブ８００を金属ハウジング３００から容易に取り外すことができる。
【００４２】
図１、図２、および図５に示すように、図示した実施形態において、後部スリーブ８００の円筒体の内端部（図２および図５の左端部）の外壁に、封止リング１２を収容する環状溝が形成され、封止リング１２は後部スリーブ８００と金属ハウジングと３００の間で圧縮される。
【００４３】
図１、図２、および図５に示すように、図示した実施形態において、絶縁体１００は第１の端部３１０内に受け入れられ、ワイヤ１は金属ハウジング３００の第２の端部３２０からコネクタに導入される。
【００４４】
図１、図２、および図５に示すように、図示した実施形態において、コネクタは、金属ハウジング３００の第１の端部３１０上に螺着され、絶縁体１００を金属ハウジング３００内に固定するように構成されている第１のナット５１０をさらに備える。
【００４５】
図１、図２、および図５に示すように、図示した実施形態において、絶縁体１００の一端部が金属ハウジング３００の第１の端部３１０から突出する。コネクタは、金属ハウジング３００の第１の端部３１０から突出する絶縁体１００の端部上に嵌まる第２のナット５２０をさらに備え、第２のナット５２０は現在のコネクタに嵌合する相手側コネクタに螺着するように構成されている。
【００４６】
図１、図２、および図５に示すように、図示した実施形態において、弾性導電性部材５３０が第１のナット５１０と第２のナット５２０との間に設けられ、第１のナット５１０と第２のナット５２０との間で圧縮されることにより、第１のナット５１０および第２のナット５２０が電気接続される。
【００４７】
図１、図２、および図５に示すように、図示した実施形態において、コネクタは、導電性端子２００の端部に螺着され、コネクタに挿入されたワイヤ１の導体１ａを導電性端子２００の端部に押圧し固定して、ワイヤ１を導電性端子２００に電気接続するように構成されている複数のねじ２１０をさらに備える。
【００４８】
図１、図２、および図５に示すように、図示した実施形態において、コネクタは、絶縁体１００上に嵌められて、ねじ２１０を金属ハウジング３００から電気的に隔離することにより、ねじ２１０を介した導電性端子２００と金属ハウジング３００との電気接続を防ぐ絶縁隔離スリーブ４００をさらに備える。
【００４９】
図２に示すように、図示した実施形態において、絶縁体１００の外壁に、封止リング１１を収容する環状溝が形成され、封止リング１１は絶縁体１００と金属ハウジング３００との間で圧縮される。
【００５０】
図１に示すように、図示した実施形態において、コネクタは、円形断面を有する円形コネクタとして形成される。しかしながら、本開示は図示した実施形態に限定されず、コネクタを別のタイプのコネクタとして形成してもよい。
【００５１】
本開示の上記の様々な実施形態において、導電性シールドは、金属ハウジングおよび導電性遮蔽層に２つの異なる位置のそれぞれにおいて電気的かつ弾性的に接触するため、導電性シールド、導電性遮蔽層、および金属ハウジング間の電気接続の安定性が向上する。
【００５２】
加えて、本開示による上記の様々な例示的な実施形態において、導電性シールドは体積が小さく、組立ておよび分解が容易である。
【００５３】
上記の実施形態は例示的なものであることを当業者には理解されたい。当業者であれば、構成上または原理上矛盾することなく、上記の実施形態に多くの修正を加えることができ、異なる実施形態に記載する様々な特徴を互いに自由に組み合わせることができる。
【００５４】
本開示について、添付図面を参照して説明したが、図面に開示した実施形態は、本発明の好ましい実施形態を例示するものであり、本発明に対する限定と解釈すべきではない。
【００５５】
本開示について、添付図面を参照して説明したが、図面に開示した実施形態は、本開示の好ましい実施形態を例示するものであり、本開示に対する限定と解釈すべきではない。
【００５６】
いくつかの例示的な実施形態について図示し説明したが、本開示の原理および趣旨から逸脱することなく、これらの実施形態に様々な変更または修正を加えてもよいことが、当業者には理解されよう。本開示の範囲は、特許請求の範囲およびその均等物により定義される。
【００５７】
本明細書中の「備える（「ｃｏｍｐｒｉｓｅｓ」および／または「ｃｏｍｐｒｉｓｉｎｇ」）」という用語は、他の要素またはステップを除外しないものであり、単数形「ａ」、「ａｎ」および「ｔｈｅ」は複数形も含むものであることに留意されたい。加えて、特許請求の範囲におけるいかなる参照符号も、本開示の範囲の限定と解釈すべきではない。
【図１】
0006903152.tif 000002
【図２】
0006903152.tif 000003
【図３】
0006903152.tif 000004
【図４】
0006903152.tif 000005
【図５】
0006903152.tif 000006